(57)【要約】【課題】写真冊子に製本化する際に、それぞれの対応相手としての表紙シートや中頁シートの出力状態を把握できる技術の提供。【解決手段】表紙シートと中頁シートとからなる写真冊子を作製する写真冊子作製システム。表紙画像を前記表紙シートに形成する表紙プリンタと、中頁画像を前記中頁シートに形成する中頁プリンタと、表紙プリンタから送られてくる表紙識別情報毎のプリント進捗状況を記述する表紙管理用データを処理する表紙管理用データ処理部と、中頁プリンタから送られてくる中頁識別情報毎のプリント進捗状況を記述する中頁管理用データを処理する中頁管理用データ処理部と、両管理用データに基づいて冊子別のプリント進捗状況を報知する報知情報を生成する進捗状況報知情報生成部が備えられている。【選択図】図１
2011209770.tif 000002
【特許請求の範囲】
【請求項１】
表紙シートと中頁シートとからなる写真冊子を作製する写真冊子作製システムにおいて、
注文された写真冊子を識別する冊子識別情報と、前記注文された写真冊子を構成する表紙シートを識別する表紙識別情報と、前記注文された写真冊子を構成する中頁シートを識別する中頁識別情報とを生成する注文情報生成部と、
前記表紙シートに割り付けられた表紙画像を前記表紙シートに形成する表紙プリンタと、
前記中頁シートに割り付けられた中頁画像を前記中頁シートに形成する中頁プリンタと、
前記表紙プリンタから送られてくる、当該表紙プリンタにおける前記表紙識別情報毎のプリント進捗状況を記述する表紙管理用データを処理する表紙管理用データ処理部と、前記中頁プリンタから送られてくる、当該中頁プリンタにおける前記中頁識別情報毎のプリント進捗状況を記述する中頁管理用データを処理する中頁管理用データ処理部と、前記表紙管理用データに基づいて前記表紙プリンタにおける冊子別のプリント進捗状況及び前記中頁管理用データに基づいて前記中頁プリンタにおける冊子別のプリント進捗状況を報知する報知情報を生成する進捗状況報知情報生成部と、前記報知情報を出力する報知情報出力部と、を含む冊子作製管理ユニットと、
を備えた写真冊子作製システム。
【請求項２】
前記注文情報生成部は、前記冊子識別情報と前記表紙識別情報と前記表紙画像とを含む表紙注文情報を生成して前記表紙プリンタに送り込むとともに、前記冊子識別情報と前記中頁識別情報と前記中頁画像とを含む中頁注文情報を生成して前記中頁プリンタに送り込む請求項１に記載の写真冊子作製システム。
【請求項３】
前記注文情報生成部は、前記冊子識別情報と前記表紙識別情報と前記中頁識別情報とを含む注文管理用データを生成して、前記冊子作製管理ユニットに送り込む請求項１または２に記載の写真冊子作製システム。
【請求項４】
前記注文管理用データには前記表紙画像から生成された低データ容量の表紙圧縮画像と前記中頁画像から生成された低データ容量の中頁圧縮画像とが含まれており、前記報知情報には前記表紙圧縮画像及び前記中頁圧縮画像が含まれる請求項３に記載の写真冊子作製システム。
【請求項５】
前記冊子作製管理ユニットが、前記表紙プリンタから出力された表紙シートと前記中頁プリンタから出力された中頁シートをまとめて冊子形態にする製本機における前記冊子識別情報毎の製本進捗状況を記述する製本管理用データを処理する製本管理用データ処理部を備え、前記進捗状況報知情報生成部は前記製本管理用データに基づいて前記製本機における冊子別の製本進捗状況を報知する報知情報を生成する請求項１から４のいずれか一項に記載の写真冊子作製システム。
【発明の詳細な説明】
【技術分野】
【０００１】
本発明は、表紙シートと中頁シートとからなる写真冊子を作製する写真冊子作製システムに関する。
【背景技術】
【０００２】
上記のような従来の写真冊子作製システムの一例として、識別情報を含む印刷情報が印刷された表紙および識別情報を含む印刷情報が印刷された枚葉紙を伴う用紙束とを搬送する搬送路と、前記表紙と用紙束の印刷情報を読み取る情報読み取り装置とを備えた製本処理装置が知られている（例えば、特許文献１参照）。この装置では、用紙束の内容と表紙の内容の不一致を識別情報を通じて判定することができるので、用紙束の内容と表紙の内容が相違したままで製本されてしまうことは防止できる。そして、用紙束の識別情報と表紙の識別情報とが一致しない場合には、表紙を取り替え、取替え後の表紙の印刷情報を情報読み取り装置で読み取り、これから入力された印刷情報に基づき、再度表紙の印刷情報に含まれている識別情報を読み出して、用紙束と表紙の識別情報とを比較する。この処理を、用紙束と表紙の識別情報とが一致するまで繰り返される。しかしながら、用紙束と表紙のいずれかがまだ準備されていない場合、両者が準備されるまで用紙束と表紙の識別情報の比較処理を無駄に繰り返すことになる。
【０００３】
また、別な従来の写真冊子作製システムの一例として、冊子ＩＤ読取部により冊子に印刷された冊子ＩＤ番号が貼込み前に読取られ、表紙ＩＤ読取部により表紙に印刷された表紙ＩＤ番号が貼込み前に読取られ、照合部により冊子ＩＤ番号と表紙ＩＤ番号が照合されて適正な対応関係を有するか否かが判定され、制御部により適正であると判定されたときには貼込みを実行し、適正でないと判定されたときには貼込みを回避する制御が行われる表紙貼込装置が知られている（例えば、特許文献２参照）。この装置では、照合部において冊子と表紙の対応関係が適正でないと判定されたときには、例えば制御部は機械の停止制御を行うので、冊子や表紙等の材料を無駄になることは回避される。しかしながら、その照合不可がどのような原因で発生しているのか、例えば、冊子の準備遅れが原因なのか、あるいは表紙の準備遅れが原因なのかが分からないので、作業者は、不安をもってその原因を調べなければならない。
【先行技術文献】
【特許文献】
【０００４】
【特許文献１】特開平１１‐１０５４５５号公報（段落番号〔００１７−００４２〕、図４）
【特許文献２】特開２００６‐３２７０１３号公報（段落番号〔０００４−００２１〕、図２）
【発明の概要】
【発明が解決しようとする課題】
【０００５】
写真冊子を構成する表紙シートと中頁シートとは、サイズだけでなく、シート質や厚みなども異なる場合があり、設定の手間などを考慮してそれぞれ別のプリンタによってプリント出力されることが少なくない。このような場合では、特に表紙シートと中頁シートの仕上がり時間が異なることになるので、写真冊子に製本化する際に、それぞれの対応相手としての表紙シートや中頁シートの出力状態を把握したいという要望がある。
【課題を解決するための手段】
【０００６】
表紙シートと中頁シートとからなる写真冊子を作製する、本発明による写真冊子作製システムでは、注文された写真冊子を識別する冊子識別情報と、前記注文された写真冊子を構成する表紙シートを識別する表紙識別情報と、前記注文された写真冊子を構成する中頁シートを識別する中頁識別情報とを生成する注文情報生成部と、前記表示シートに割り付けられた表紙画像を前記表紙シートに形成する表紙プリンタと、前記中頁シートに割り付けられた中頁画像を前記中頁シートに形成する中頁プリンタと、前記表紙プリンタから送られてくる、当該表紙プリンタにおける前記表紙識別情報毎のプリント進捗状況を記述する表紙管理用データを処理する表紙管理用データ処理部と、前記中頁プリンタから送られてくる、当該中頁プリンタにおける前記中頁識別情報毎のプリント進捗状況を記述する中頁管理用データを処理する中頁管理用データ処理部と、前記表紙管理用データに基づいて前記表紙プリンタにおける冊子別のプリント進捗状況及び前記中頁管理用データに基づいて前記中頁プリンタにおける冊子別のプリント進捗状況を報知する報知情報を生成する進捗状況報知情報生成部と、前記報知情報を出力する報知情報出力部とを含む冊子作製管理ユニットと、が備えられている。
【０００７】
この構成によると、表紙シートは表示シート出力用に設定された表紙プリンタを用いて効率よくプリント出力されるともに、中頁シートも中頁シート出力用に設定された中頁プリンタを用いて効率よくプリント出力される。さらに、写真冊子として組み合わされるべき、表紙プリンタによる表紙シートと中頁プリントによる中頁シートの仕上がり時間が異なったとしても、それぞれプリント進捗状況を報知する報知情報が生成され、報知されるので、待機しなければならない時間を生じても、別な作業を行うなど、効率的にその待機時間を利用することができる。
【０００８】
本発明の好適な実施形態の１つでは、前記注文情報生成部が、前記冊子識別情報と前記表紙識別情報と前記表紙画像とを含む表紙注文情報を生成して前記表紙プリンタに送り込むとともに、前記冊子識別情報と前記中頁識別情報と前記中頁画像とを含む中頁注文情報を生成して前記中頁プリンタに送り込むように構成されている。この構成では、写真冊子の受注時に冊子識別情報と表紙識別情報と表紙画像がまとまって表紙注文情報として表紙プリンタに、そして冊子識別情報と中頁識別情報と中頁画像がまとまって中頁注文情報として中頁プリンタに送られるので、注文処理とプリント処理と製本処理との情報の流れが統一化され、このシステムを構成している各構成要素の連係をとることが容易となる。さらに、前記注文情報生成部が、前記冊子識別情報と前記表紙識別情報と前記中頁識別情報とを含む注文管理用データを生成して、前記冊子作製管理ユニットに送り込むように構成するなら、冊子作製管理ユニットが写真冊子の注文状況をオンラインで入手することができ、冊子作製管理ユニットは、写真冊子の作製状況だけでなく、写真冊子作製の受注残、つまり将来の写真冊子作製の予想も報知することが可能となる。
【０００９】
本発明の好適な実施形態の１つとして、前記注文管理用データには前記表紙画像から生成された低データ容量の表紙圧縮画像と前記中頁画像から生成された低データ容量の中頁圧縮画像とが含まれ、前記報知情報には前記表紙圧縮画像及び前記中頁圧縮画像が含まれるものが提案される。この構成では、冊子作製管理ユニットで報知情報が出力される際に、各写真冊子を特定する際に、表紙に形成される画像や中頁に形成される画像を表示することができるので、写真冊子ないしは表紙や中頁の特定が簡単になる。
【００１０】
本発明のさらに別な実施形態として、前記冊子作製管理ユニットが、前記表紙プリンタから出力された表紙シートと前記中頁プリンタから出力された中頁シートをまとめて冊子形態にする製本機における前記冊子識別情報毎の製本進捗状況を記述する製本管理用データを処理する製本管理用データ処理部を備え、前記進捗状況報知情報生成部は前記製本管理用データに基づいて前記製本機における冊子別の製本進捗状況を報知する報知情報を生成するように構成することができる。これにより、写真冊子を作製するために使用される、表紙プリンタと中頁プリンタと製本機とにおける、冊子別の表紙シートプリント進捗状況と中頁シートプリント進捗状況と製本進捗状況とを冊子作製管理ユニット通じて統一的に確認することができる。特にその際、冊子作製管理ユニットが携帯型に構成されていると、どこでも冊子作製の状況が確認できるので好都合である。
【図面の簡単な説明】
【００１１】
【図１】本発明の写真冊子作製システムにおける基本的な情報と物の流れを示す模式図である。
【図２】写真冊子注文処理を模式的に示すチャート図である。
【図３】撮影画像をテンプレートの画像枠に割り付ける割付制御の流れを図解説明しているチャート図である。
【図４】写真冊子注文処理の機能ブロック図である。
【図５】写真冊子注文処理における冊子種類選択画面を示す模式図である。
【図６】冊子注文受付機から送り出される情報のデータ構造を示す模式図である。
【図７】冊子作製管理ユニットの機能ブロック図である。
【図８】冊子作製管理ユニットに送られる管理用データのデータ構造を示す模式図である。
【図９】モニタに表示されるグラフィックイメージでの進捗状況報知情報を示す画面図ある。
【発明を実施するための形態】
【００１２】
以下、本発明の実施の形態を図面に基づいて説明する。まず、図１の模式図を用いて、本発明による写真冊子作製システムの基本構成の一例と、その各基本構成要素間の情報と物の流れを説明する。なお、この写真冊子作製システムで作製される写真冊子９は、厚手のプリントシートからなる表紙シート９１と、薄手のプリントシートからなる中頁シート９２とから構成される。中頁シート９２は、本文頁を構成するものであり、1枚から多数枚の任意の枚数からなるが、ここでは特に区別する必要がない限り、1枚の中頁シート９２も複数の束となった中頁シート９２も同様に中頁シート９２と称している。表紙シート９１は、表紙と背表紙と裏表紙が一枚のシートで一体化されたものであり、表紙と背表紙との間及び背表紙と裏表紙との間に折り筋が形成され、背表紙と頁シート９２との間をホットメルト接着剤等を用いて接着することで冊子体となる。従って、表紙シート９１長さは表紙と背表紙と裏表紙の長さを足したものとなる。なお、表紙シート９１と中頁シート９２とは、サイズは異なるが、同じ厚さで同じシート質（紙質）を用いても良い。
【００１３】
この写真冊子作製システムは、写真冊子９の注文ないしは受注が行われる注文ステーションと、表紙シート９１や中頁シート９２をプリント出力するプリントステーションと、プリント出力された表紙シート９１と中頁シート９２とから写真冊子９を作製する製本ステーションとに区分けされる。ここでは、注文ステーションには冊子注文受付機２が属している。プリントステーションには表紙シート９１を出力する表紙プリンタ４Ａと、中頁シート９２を出力する中頁プリンタ４Ｂとが属している。製本ステーションは、製本機7及びここには図示されていないが筋入れ機や断裁機も属している。後で、詳しく説明する冊子作製管理ユニット５０は、作業者が主に滞在する場所に設置されるか、あるいは作業者に携帯されてもよいが、ここでは、製本ステーションに属していることにする。
【００１４】
次に、本発明における特に重要な、冊子注文受付機２、表紙プリンタ４Ａ、中頁プリンタ４Ｂ、冊子作製管理ユニット５０の間の情報の流れを説明する。冊子注文受付機２から表紙プリンタ４Ａへは、写真冊子注文を特定する注文識別情報（以下単に注文ＩＤと称する）、注文された写真冊子９を識別する冊子識別情報（以下単に冊子ＩＤと称する）、注文された写真冊子９の表紙シート９１を識別する表紙識別情報（以下単に表紙ＩＤと称する）、表紙用画像（正確には画像データであるが特に区別する必要がない場合単に画像と略称する）を含む表紙注文情報が転送される。冊子注文受付機２から中頁プリンタ４Ｂへは、注文ＩＤ、冊子ＩＤ、注文された写真冊子９の中頁シート９２を識別する中頁識別情報（以下単に中頁ＩＤと称する）、中頁用画像を含む中頁注文情報が転送される。冊子注文受付機２から冊子作製管理ユニット５０へは、注文ＩＤ、冊子ＩＤ、表紙ＩＤ、中頁ＩＤを含む注文管理情報が転送される。
【００１５】
さらに、表紙プリンタ４Ａから冊子作製管理ユニット５０へは、注文ＩＤ、冊子ＩＤ、表紙ＩＤ、表紙プリンタ４Ａにおける表紙ＩＤのプリント処理状況を記述している表紙プリント処理状況(以下単に表紙処理状況と称する)を含む表紙管理用データが転送される。中頁プリンタ４Ｂから冊子作製管理ユニット５０へは、注文ＩＤ、冊子ＩＤ、中頁ＩＤ、中頁プリンタ４Ｂにおける中頁ＩＤのプリント処理状況を記述している中頁プリント処理状況(以下単に中頁処理状況と称する)を含む中頁管理用データが転送される。なお、表紙処理状況及び中頁処理状況には処理状況として、プリント待機、プリント完了、その進捗度を含むプリント途中といった状況イベントが含まれている。この表紙管理用データと中頁管理用データとを受け取ることで、冊子作製管理ユニット５０は、注文ＩＤ毎の、または冊子ＩＤ毎のあるいはその両方毎の、表紙シート９１と中頁シート９２の処理状況を、プリント中であれば進捗度も含めて、グラフィックイメージまたはテキストイメージで視覚的に、あるいは音声によって聴覚的に報知することができる。
【００１６】
この例では、冊子作製管理ユニット５０は製本ステーションに配置されているので、製本機７を用いた冊子製本時に、製本すべき表紙シート９１と中頁シート９２の処理状況を確認することができる。
なお、冊子作製管理ユニット５０が製本ステーションではなく、別の全てのステーションを統括管理する管理室等に配置されているようなケースでは、冊子注文受付機２から製本機７へは、注文ＩＤ、冊子ＩＤ、表紙ＩＤ、中頁ＩＤ、製本ＩＤを含む製本注文情報が転送され、製本機７から冊子作製管理ユニット５０へは、注文ＩＤ、冊子ＩＤ、表紙ＩＤ、中頁ＩＤ、製本ＩＤ、製本処理状況を含む製本管理用データが転送される。製本処理状況には処理状況として、製本待機、製本完了、その進捗度を含む製本途中といった状況イベントが含まれている。なお、そのケースでは前もって、冊子注文受付機２から製本機７へ、注文ＩＤ、冊子ＩＤ、表紙ＩＤ、中頁ＩＤ、製本ＩＤを含む製本管理情報が転送される。
【００１７】
次に、冊子注文受付機２の実施形態の一例を、その使用形態とともに説明する。図２と図３は、この冊子注文受付機２における写真冊子注文処理を模式的に示すチャート図、特に図２は撮影画像をテンプレートの画像枠に割り付ける割付制御の流れを図解説明しているチャート図である。図４は、冊子注文受付機２の機能ブロック図である。この冊子注文受付機２は、ＤＰショップなどの写真サービス店やコンビニエンスストア等の店頭に設置されるセルフサービス可能な注文受付機である。各種操作は、モニタ２ａに表示される注文受付処理に関する各種の情報に案内されながら、モニタ２ａに装備された操作入力デバイスとしてのタッチパネル２ｂを通じて、実質的に顧客によるセルフサービスで行われる。この注文受付機には、基本的にはコンピュータプログラムで実現される種々の機能を有するコントロールユニットが組み込まれている。
【００１８】
写真冊子制作の注文を行う顧客は、モニタ２ａに表示されているスタート画面を見ながらタッチパネル２ｂを通じて操作して、注文処理をスタートさせる。モニタ２ａに表示される写真冊子タイプ選択画面を通じて所望の写真冊子タイプを選択する（＃０１）。写真冊子タイプを選択することで、表紙９１のタイプと中頁９２のタイプも決定される。
【００１９】
このような写真冊子タイプを選択するためにモニタ２０に表示される写真冊子タイプ選択画面の一例が図５に示されている。ここでは図示されていないが、各冊子アイコンをクリックすることによりその冊子を構成する表紙や中頁のデザインも確認することができる。この画面では写真冊子９のタイプ、及びサイズと中頁枚数が設定可能となっている。この写真冊子タイプ選択画面を通じての写真冊子タイプの選択は写真冊子タイプ選択部２２によって行われ、写真冊子タイプ選択部２２によって生成された注文写真冊子を既定する注文条件情報は、割付用画像選択部２３やテンプレート管理部２４に送られる（＃０２、＃０３）。
【００２０】
割付用画像選択部２３に注文条件情報が与えられると、記録メディアをメディアリーダ２９に投入することが促される。写真冊子９に割り付けたい撮影画像を記録している記録メディアを冊子注文受付機２のメディアリーダ２９に投入することで、記録メディアから撮影画像が入力画像処理部２１を通じてワーキングメモリ２０に転送される。ワーキングメモリ２０に展開された全ての撮影画像から画像選択画面を通じて撮影画像割付処理が行われる（＃０４）。メディアリーダ２９に投入された記録メディアに記録されている全撮影画像のサムネイル画像がスクロール表示されるので、その中から、今回の写真冊子９の表紙９１や中頁９２に割り付ける撮影画像をクリック等で選択する。
【００２１】
写真冊子タイプ選択部２２から注文条件情報を受け取ったテンプレート管理部２４は、それに適合するテンプレートセットをテンプレート格納部２５から読み出し、そのテンプレートセットを構成するテンプレートを順次ワーキングメモリ２０に展開する。なお、各テンプレートには１つ以上の画像枠が設けられている。次に、テンプレート管理部２４によってワーキングメモリ２０に順次展開されていく表紙テンプレート（Ａ）及び中頁テンプレート（Ｂ、Ｃ、・・・・）の画像枠に、同様にワーキングメモリ２０に展開されている撮影画像を割り付けていく割付制御部３０の動作が図３で模式的に示されている。なお、この撮影画像の割り付けの際に、表紙テンプレート及び中頁テンプレートに割り付けられた撮影画像の圧縮画像、例えば、サムネイル画像がこの撮影画像に関係付けられる。
【００２２】
このようにして、１枚の表紙テンプレートおよび１枚以上の中頁テンプレートに撮影画像が順次割り付けられる。全てのテンプレートに撮影画像が割り付けられると、この割付情報に基づいてプリントデータ生成部２８が、表紙シート９１と中頁シート９２のプリント出力のためのプリントデータを生成する。処理対象となった撮影画像に対する、解像度変換、濃度変換、拡大縮小処理、各種フィルタ処理、合成処理などは画像処理部２７によって行われる。冊子注文受付機２のコントロールユニットに構築されているＧＵＩは、モニタ画面上での各種の情報の表示にグラフィックを用い、その操作入力をタッチパネルと組み合わせて行うためのユーザインターフェースを作り出す。
【００２３】
注文情報生成部３０は、図６で示すように、表紙シート９１を出力する表紙プリンタ４Ａへ送り出す表紙注文情報（図６（ａ））、中頁シート９２を出力する中頁プリンタ４Ｂへ送り出す中頁注文情報（図６（ｂ））、表紙シート９１と中頁シート９２とを組み合わせて写真冊子９を作製する製本機７へ送り出す製本注文情報（図６（ｃ））、冊子作製管理ユニット５０へ送り出す注文管理情報（図６（ｄ））を生成する。なお、表紙注文情報に含まれている表紙画像は、この表紙画像に対する上述したプリントデータであり、中頁注文情報に含まれている中頁画像は、この表紙画像に対する上述したプリントデータである。注文管理情報に含まれている、冊子ＩＤには冊子タイプをイラストで示したサムネイル画像がリンクしている。なお、ここでのサムネイル画像は元画像から圧縮処理（解像度低減や縮小処理を含めたデータ容量の低減化処理）された低データ容量画像の一例である。同様に、表紙ＩＤには表紙画像のサムネイル画像が、中頁ＩＤには中頁画像のサムネイル画像がリンクしている。リンクされる中頁画像のサムネイル画像としては、一枚目に割り付けられた中頁画像のサムネイル画像だけでもよいし、適当な頁に割り付けられた中頁画像のサムネイル画像、あるいは全ての中頁画像のサムネイル画像でもよい。注文情報生成部３０で取り扱われる、注文ＩＤ、冊子ＩＤ、表紙ＩＤ、中頁ＩＤなどの各識別情報は、ＩＤ発行部３１で生成される。
【００２４】
次に、表紙プリンタ４Ａ及び中頁プリンタ４Ｂにおけるプリント出力の処理状況、追加的な製本機7における製本の処理状況を報知するために構築された、冊子作製管理ユニット５０の機能部を図７による機能ブロック図を用いて説明する。既に図１で説明したように、この冊子作製管理ユニット５０には、表紙プリンタ４Ａから表紙管理用データ(図８（ａ）)、中頁プリンタ４Ｂから中頁管理用データ(図８（ｂ）)、製本機7から製本管理用データ(図８（ｃ）)が送られてくる。各管理用データのデータ構造は図８に示されている。また、冊子注文受付機２からは注文管理情報(図６（ｄ）)が送られてくる。このため、冊子作製管理ユニット５０は、通信モジュール５１を通じて、冊子注文受付機２と、表紙プリンタ４Ａと、中頁プリンタ４Ｂと、製本機7とデータ伝送可能に、この実施形態では無線ＬＡＮで接続されている。
【００２５】
冊子作製管理ユニット５０は、通信モジュール５１、データ入力部５２、注文管理用データ処理部５３、表紙管理用データ処理部５４、中頁管理用データ処理部５５、製本管理用データ処理部５６、サムネイル画像処理部５７、注文別進捗状況評価部５８、冊子別進捗状況評価部５９を備えている。データ入力部５２は、通信モジュー５１を通じて送られてきた各種データを適切なフォーマットに変更して内部の各機能部に転送する。注文管理用データ処理部５３は、冊子注文受付機２から送られてきた注文管理情報から、注文ＩＤや冊子ＩＤによって規定される写真冊子９と当該写真冊子９を構成する表紙シート９１と中頁シート９２との間の対応関係テーブルを作成する。さらに、注文管理情報に含まれている冊子タイプサムネイル画像と表紙サムネイル画像と中頁サムネイル画像を取り出して、サムネイル画像処理部５７に転送する。サムネイル画像処理部５７は、各サムネイル画像を対応するＩＤで読み出すことができるように管理する。
【００２６】
表紙管理用データ処理部５４は、表紙管理用データから表紙プリンタ４Ａにおける表紙ＩＤ毎の表紙シート出力処理の進捗状況を取り出す。中頁管理用データ処理部５５は、中頁管理用データから中頁プリンタ４Ｂにおける中頁ＩＤ毎の中頁シート出力処理の進捗状況を取り出す。製本管理用データ処理部５６は、製本管理用データから製本機７における製本作業の進捗状況を取り出す。冊子別進捗状況評価部５９は、処理対象となる写真冊子９ごとに、この写真冊子９を構成する表紙シート９１及び中頁シート９２のプリント出力処理状況と、製本機７による製本処理状況とを決定する。注文別進捗状況評価部５８は、注文管理用データ処理部５８によって作成されえた対応関係テーブルを用い、冊子別進捗状況評価部５９による冊子別のプリント出力処理状況と製本処理状況とから、注文別の製本処理状況を確定する。なお、注文ＩＤと冊子ＩＤを互いに兼用使用することも可能であり、その場合は、注文管理用データ処理部５８と冊子別進捗状況評価部５９は、一体化される。
【００２７】
冊子作製管理ユニット５０は、さらに進捗状況報知情報生成部６０と、報知情報出力部６１と、表示部としてのモニタ６２を備えている。進捗状況報知情報生成部６０は、注文別進捗状況評価部５８や冊子別進捗状況評価部５９で確定されたプリント出力処理状況や写真冊子９の製本処理状況から、注文別または冊子別またはその両方での進捗状況を報知する報知情報を、報知形態に応じて生成する。例えば、図９に示すようなグラフィックイメージでの報知情報はグラフィックイメージ生成部６０ａで生成される。図示はされていないが文字だけのテキストイメージ表現される報知情報はテキストイメージ生成部６０ｂで生成される。図９で示すグラフィックイメージでの注文冊子毎の、表紙、中頁、製本に区分けされた進捗状況の表示画面において、サムネイル画像と記されたボタンをクリックすると、対象となる表紙画像や中頁画像のサムネイル画像や冊子の出来上がりイラストのサムネイル画像が表示される。これにより、数字や記号等によるＩＤに頼らなくてもグラフィックイメージで表紙シート９１や中頁シート９２や写真冊子９を把握することができる。報知情報出力部６１は、進捗状況報知情報生成部６０によって生成された進捗状況報知情報を出力デバイスに適応する形式に変換して出力する。
【符号の説明】
【００２８】
２：冊子注文受付機
４Ａ：表紙プリンタ
４Ｂ：中頁プリンタ
７：製本機
３０：注文情報設定部
３１：ＩＤ発行部
５０：冊子作製管理ユニット
５３：注文管理用データ処理部
５４：表紙管理用データ処理部
５５：中頁管理用データ処理部
５６：製本管理用データ処理部
５７：サムネイル画像処理部
５８：注文別進捗状況評価部
５９：冊子別進捗状況評価部
９：写真冊子
９１：表紙シート
９２：中頁シート
６０：進捗状況報知情報生成部
６１：報知情報出力部
６２：モニタ（表示部）
【図１】
2011209770.tif 000003
【図２】
2011209770.tif 000004
【図３】
2011209770.tif 000005
【図４】
2011209770.tif 000006
【図５】
2011209770.tif 000007
【図６】
2011209770.tif 000008
【図７】
2011209770.tif 000009
【図８】
2011209770.tif 000010
【図９】
2011209770.tif 000011